(57)【要約】  本発明は、粉末容器と、粉末容器から、ボトルやカップなどの容器の中へ粉末を分配するためのノズルと、粉末容器からノズルへの粉末の流れをコントロールするためのバルブ手段と、加熱された水を分配するシステムとを備えた粉末測量装置に関連する。
2008505667.tif 000002
【特許請求の範囲】
【請求項１】
粉末容器と、
前記粉末容器から、ボトルやカップなどの容器の中へ粉末を分配するためのノズルと、
前記粉末容器から前記ノズルへの粉末の流れをコントロールするためのバルブ手段とを備える、粉末計量装置。
【請求項２】
前記粉末容器は底と、周壁と、頂部とを備える缶であり、前記底または前記頂部のうちいずれかは、前記缶を前記バルブ手段に接続するためのコネクタを備える、請求項１に従う粉末計量装置。
【請求項３】
前記コネクタを備える前記缶の側部は前記コネクタの方へ傾斜している、請求項２に従う粉末計量装置。
【請求項４】
前記バルブ手段は所定体積の粉末を含むためのチャンバを備えている、請求項１〜３のいずれかに記載の粉末計量装置。
【請求項５】
前記チャンバの体積が調節可能である、請求項４に従う粉末計量装置。
【請求項６】
ボトルやカップなどの前記容器の中へ水を分配するための水分配器を備える、請求項１〜５のいずれかに従う粉末計量装置。
【請求項７】
前記水分配器は前記水を加熱するためのヒータを備える、請求項６に従う粉末計量装置。
【請求項８】
前記水は前記粉末の分配と同時に分配される、請求項６または７に従う粉末計量装置。
【請求項９】
前記粉末容器を振動させるための振動手段を備える、請求項１〜８のいずれかに従う粉末計量装置。
【請求項１０】
前記バルブ手段に接続され、かつ計測された前記粉末の重さを計るための計量装置を備える、請求項１〜９のいずれかに従う粉末計量装置。
【請求項１１】
ボトルやカップなどの前記容器を攪拌するための攪拌手段を備える、請求項１〜１０のいずれかに従う粉末計量装置。
【発明の詳細な説明】
【技術分野】
【０００１】
本発明は粉末の計量の分野に関連し、より特定的には、乳児用食品のための粉ミルクの計量に関する。
【背景技術】
【０００２】
粉ミルクは通常紙袋や缶の中にパッケージされ、使用者はスプーンを用いて粉末を計量する。この計量された粉末は次に、ボトルやカップへ運ばれる。
【発明の開示】
【発明が解決しようとする課題】
【０００３】
缶や紙袋からボトルやカップの中に粉末のミルクを運ぶためにスプーンを使用する際には、粉末がこぼれないようにすることが難しい。乳児用ミルクを準備するのに必要な粉末を正確な量で測定することはさらに難しい。
【０００４】
本発明の目的は上記の不都合を緩和することである。
【課題を解決するための手段】
【０００５】
この目的は本発明の粉末計量装置によって達成される。すなわち、本発明の粉末計量装置は、粉末容器と、粉末容器から、ボトルやカップなどの容器の中に粉末を分配するためのノズルと、粉末容器からノズルへの粉末の流れをコントロールするためのバルブ手段とを備える。
【０００６】
ボトルまたはカップはノズルの下部に置かれ、バルブ手段を操作することによって、ある量の粉末が粉末容器からボトルまたはカップの中へ直接運ばれる。
【０００７】
本発明に従う粉末計量装置の好ましい実施例では、粉末容器は底と周壁と頂部とを備えており、底または頂部のうちいずれか一方は、缶をバルブ手段に接続するためのコネクタを備えている。缶はカートリッジのようなものであり、粉末計量装置の中に挿入することができ、それによって粉末計量装置は粉末で充填される。粉末容器が空の時は、缶は取除かれ、別の缶が挿入される。
【０００８】
他の好ましい実施例では、コネクタを備える缶の側部はコネクタの方に傾斜している。これによって、缶の中身を空にすることが促進される。そのうえ粉末の最後の量を傾斜した表面に沿ってコネクタの方へ滑り落とすことができる。これによって、缶が完全に空にされる場合に、容器に残る粉末の量を低減することができる。
【０００９】
本発明に従う粉末計量装置の他の実施例では、バルブ手段は所定体積の粉末を含むためのチャンバを備えている。バルブが開かれたときに、所定量の粉末がノズルを通じて放出される。この所定体積の粉末は、たとえば乳児用ミルクの準備に必要なすべての量であってもよいし、一定の単位量であってもよい。
【００１０】
好ましい実施例では、チャンバの体積は調節可能である。これは、所定量が乳児用ミルクの１回分を準備するのに必要な量である場合に、特に有利である。乳児の年齢に依存してこの量は変化し、チャンバの体積を調節することによって、ノズルを通じて放出される粉末の量を調節することができる。
【００１１】
本発明に従うさらに他の実施例では、粉末計量装置は、容器の中へ水を分配するための
、ボトルやカップのような水分配器を備えている。好ましくは、水分配器は水を加熱するためのヒータを備えている。この粉末計量装置によれば、たとえば乳児用ミルクの１回分を準備することができる。ヒータがある場合には、準備された乳児用ミルクを直接乳児に与えることができる。
【００１２】
さらに好ましくは、水は粉末の分配と同時に分配される。これによって、水と粉末との間でうまく混合動作を行なうことができ、それによって、水と粉末との混合体中に生じる塊を減らすことができる。
【００１３】
本発明に従う粉末計量装置のさらに他の実施例では、粉末計量装置は、粉末容器を振動させるための振動手段を備えている。粉末容器を振動させることによって、粉末容器における放出するための開口の方へ粉末が導かれ、容器内部に残留する粉末の量を減らすことができる。
【００１４】
本発明に従う粉末計量装置のさらに他の好ましい実施例では、粉末計量装置は、バルブ手段に接続され、かつ計量された粉末の重さを計るための計量装置を備えている。計量装置によって、ボトルやカップなどの容器の中へ入れられた、測定された粉末の量をチェックすることができる。計量装置はまた、実質的に正確な量の粉末を測定するように、バルブ手段をコントロールするために用いられる。これは粉末の流れとは独立して行なわれる。
【００１５】
本発明に従う粉末計量装置においてさらに好ましくは、粉末計量装置はボトルやカップなどの容器を攪拌するための攪拌手段を備えている。粉末が計量されて容器の中に入れられ、水がこの容器の中に加えられたとき、攪拌手段は粉末と水とを混合状態に攪拌することができる。
【００１６】
本発明のこれらの利点およびその他の利点は添付された図面とともに解明されるであろう。
【発明を実施するための最良の形態】
【００１７】
図１は、本発明に従う粉末計量装置とともに用いられる缶１を示す。この缶１は底２と、周壁３と、頂部４とを有している。頂部４はコネクタ５を備えており、コネクタ５によって、缶１を本発明に従う粉末計量装置と接続することができる。
【００１８】
図２には、本発明に従う粉末計量装置１０が示されている。この粉末計量装置は、ハウジング１１を備えており、ハウジング１１はその頂部に凹部１２を有している。この凹部の中には缶１が上下逆に挿入されている。
【００１９】
ハウジング１１の側部には凹部が形成されており、凹部の中にはボトル１３を配置することができる。粉末計量装置１０は操作レバー１４をさらに備えており、操作レバー１４によって、缶１からの粉末がボトル１３に分配されるようにバルブ手段を操作することができる。
【００２０】
粉末計量装置１０はさらに、所定体積の粉末を調節するための調節ダイヤル１５を備えており、所定量の粉末はレバー１４の操作によって分配される。
【００２１】
図３は、本発明に従う粉末計量装置１０の概略断面図を示している。缶１は、下方を向くように、コネクタ５を用いて上下方向逆に配置されている。コネクタ５が配置された表面１６は傾斜しており、粉末がコネクタ５に流れるようにされている。コネクタ５はチューブ１７に接続されている。
【００２２】
ボトル１３の開口１８の上にノズル１９が配置されている。チューブ１７とノズル１９との間にバルブ手段２０が配置されている。本実施の形態におけるこれらのバルブ手段２０は、所定体積を持つチャンバ２１を有するシフト可能な要素によって構成されている。隣接部２２は、要素２０の動作を制限する。隣接部２２は調節ダイヤル１５を変化させることによって調節可能である。レバー部分１４はバルブ手段２０を操作し、チャンバ２１をチューブ１７の下にシフトさせる。チャンバ２１が移動されると、チャンバ２１が粉末で満たされ、ボトル１３に放出される粉末がノズル１９に流れ込む。チャンバ２１がチューブ１７の完全な真下に来ないように隣接部２２が調整される場合には、粉末の量は減少する。このようにして粉末の所定量を減らすことが可能である。
【図面の簡単な説明】
【００２３】
【図１】本発明に従う粉末計量装置とともに用いられる缶の投影図である。
【図２】本発明に従う粉末計量装置の実施例の投影図である。
【図３】図２に従う粉末計量装置の概略断面図である。
【図１】
2008505667.tif 000003
【図２】
2008505667.tif 000004
【図３】
2008505667.tif 000005
【国際調査報告】
2008505667.tif 000006
2008505667.tif 000007
2008505667.tif 000008